(57)【要約】携帯電話のモバイル装置の場所データの伝送方法であり、好ましくはＳＩＭカード上にインストールされたアプリケーションが、サービスセルとその隣接セルにおける基地局を測定してそれぞれの情報を検出し、記憶し、ＳＭＳメッセージによってリモート・サービス・センターに伝送する。そこで、処理システムが、適当なアルゴリズムと基地局の地理的位置のデータベースを適用してモバイル装置の地理的位置を計算する。極めて少数のＳＭＳメッセージしか必要でない圧縮フォーマットを用いて伝送が行われる。
2005505952.tif 000002
【特許請求の範囲】
【請求項１】
携帯電話のモバイル装置の場所データの伝送方法であって、好ましくはモバイル装置に含まれるＳＩＭカード上にインストールされたアプリケーションが、サービス中セルと隣接セルにおける基地局を測定してそれぞれの情報を検出し、記憶し、ＳＭＳメッセージによってリモート・サービス・センターに伝送し、そこで、処理システムが、適当なアルゴリズムと基地局の地理的位置データベースを適用してモバイル装置の地理的位置を計算し、必要ならモバイル装置に該地理的位置を知らせる前記伝送方法において、
好ましくはＳＩＭカード上にインストールされた前記アプリケーションが、圧縮フォーマットにて場所データを含んだＳＭＳメッセージを生成し、これは各単一メッセージの特定データ、メッセージセットについての特定データ、測定についての特定データ及びモバイル装置によりモニターされたサービス中セルと隣接セルについての特定データを含み、そのいくつかのデータの大きさが、現時点で行われた測定の結果と以前に得られた結果とに依存することを特徴とする前記伝送方法。
【請求項２】
圧縮フォーマットの前記場所データが、各メッセージに対して、
−  現在のＳＭＳメッセージの番号；
−  場所データの伝送専用のメッセージの総数；
を含み、よって、メッセージ本体において：
−  関連の特定サービスに専用のデータ；
−  前記測定の数；
を含み、各測定に対して：
−  ＲＸＬＥＶ−ＦＵＬＬ−ＳＥＲＶＩＮＧ−ＣＥＬＬ、すなわちサービス中セルの信号強度；
−  「変更タグ」、すなわち４つのデータ、すなわちサービス中セルに関係するセルＩＤ（サービス中セルの識別）、ＬＡＣ（ローカル・エリア・コード）、ＭＣＣ（モバイル・カントリー・コード）及びＭＮＣ（モバイル・ネットワーク・コード）のうちのどれが前の測定に対して変わったかを示すラベル；
−  ＭＣＣ［「変更タグ」が第１値より大きい場合］；
−  ＭＮＣ［「変更タグ」が第１値より大きい場合］；
−  ＬＡＣ［「変更タグ」が第２値より大きい場合］；
−  サービス中セルＩＤ［「変更タグ」が第３値より大きい場合］；
−  モニターされた隣接セルの数；
を含み、各隣接セルに対して：
−  前の測定に基づいて計算された信号の相対強度；
−  「ＡＲＦＣＮ−ＢＳＩＣキャッシュインデックス」、すなわち適当なメモリテーブル中のＡＲＦＣＮ−ＢＳＩＣ（チャンネル番号−識別コード）対のインデックス；
−  ＡＲＦＣＮ（チャンネル番号）［「ＡＲＦＣＮ−ＢＳＩＣキャッシュインデックス」が第１バイナリ値を有する場合］；
−  ＢＳＩＣ（識別コード）［「ＡＲＦＣＮ−ＢＳＩＣキャッシュインデックス」が第１バイナリ値を有する場合］；
−  信号の絶対強度［「隣接セル信号の相対強度」が第２バイナリ値を有する場合］
を含むことを特徴とする請求項１に記載の携帯電話のモバイル装置の場所データの伝送方法。
【請求項３】
前記場所データが、以下のバイナリの大きさ、すなわち
−  現在のＳＭＳメッセージの番号、４ビット；
−  メッセージの総数、４ビット；
−  特定サービスに専用のデータ、１又は複数のバイト；
−  測定の番号、１バイト；
−  ＲＸＬＥＶ−ＦＵＬＬ−ＳＥＲＶＩＮＧ−ＣＥＬＬ、６ビット；
−  「変更タグ」、２ビット；
−  ＭＣＣ、２バイト；
−  ＭＮＣ、１バイト；
−  ＬＡＣ、２バイト；
−  サービス中セルのＩＤ、２バイト；
−  モニターされた隣接セルの数、１バイト；
−  隣接セル信号の相対強度、５ビット；
−  「ＡＲＦＣＮ−ＢＳＩＣキャッシュインデックス」、３ビット；
−  ＡＲＦＣＮ、１０ビット；
−  ＢＳＩＣ、６ビット；
−  隣接セル信号の絶対強度、８ビット；
を有することを特徴とする請求項２に記載の携帯電話のモバイル装置の場所データの伝送方法。
【請求項４】
新しい測定が実施される度に、好ましくはＳＩＭカード上にインストールされた前記アプリケーションが、前記４つのデータ（セルＩＤ、ＬＡＣ、ＭＣＣ及びＭＮＣ）のうちのどれが前の測定に対して変わったかを調べ、その結果として変更タグの値を設定し、変わったデータのみをＳＭＳメッセージの本体に加えることを特徴とする請求項２又は３に記載の携帯電話のモバイル装置の場所データの伝送方法。
【請求項５】
前記隣接セル信号の相対強度を計算するために、好ましくはＳＩＭカード上にインストールされた前記アプリケーションが、モニターされた各セルに対して１バイトのメモリテーブルを使用し、ＳＭＳ符号化中に該テーブル中の各項目に対して第３バイナリ値を初期化し、各々の隣接セル信号の強度測定後に以下の操作が実行され、すなわち
−  現在の隣接セルの強度が、同じ位置にある隣接セルに関係した前の測定の強度に対して第１バイナリ範囲内に含まれる場合には、前記アプリケーションは強度の差のみを伝送し、現在の強度の絶対値によりテーブルを更新し；
−  そうでない場合には、第２バイナリ値が相対強度に割り当てられ、現在の絶対強度値が次のバイト中に送られ、同じ絶対値によってテーブルが更新され、
また、復号化のために同様の逆手順がサービス・センター側にて実行されることを特徴とする請求項２〜４のいずれか一項に記載の携帯電話のモバイル装置の場所データの伝送方法。
【請求項６】
好ましくはＳＩＭカード上にインストールされた前記アプリケーションは、ＡＲＦＣＮ−ＢＳＩＣ対の値により形成されたテーブルであって、新しいＡＲＦＣＮ−ＢＳＩＣ対の値に遭遇して前記「ＡＲＦＣＮ−ＢＳＩＣキャッシュインデックス」を得ると漸次入れられる該テーブルを使用し、そして
−  テーブル中に存在する値に遭遇すると、該遭遇した値を含んだＡＲＦＣＮ−ＢＳＩＣ対の列の番号又はインデックスが該値自身の代わりに用いられ、
−  テーブル中に存在しないＡＲＦＣＮ−ＢＳＩＣ値に遭遇し且つ該テーブルがいっぱいの場合には、新しい値がＦＩＦＯモードに従って最も古いものの上に書き込まれ、もしテーブルがいっぱいでないならば、テーブルに新しい値を加えるべく「ＡＲＦＣＮ−ＢＳＩＣキャッシュインデックス」が第１バイナリ値に設定され、実際の値がその次のバイトに加えられ、
また、復号化のために同様の逆手順がサービス・センター側にて実行されることを特徴とする請求項２〜５のいずれか一項に記載の携帯電話のモバイル装置の場所データの伝送方法。
【発明の詳細な説明】
【技術分野】
【０００１】
この発明は、例えばＧＳＭ動作の標準通信システムのような個人用の通信システムに関し、特に、携帯電話の場所データを伝送する方法に関する。
【背景技術】
【０００２】
知っての通り、上述のＧＳＭシステムのような個人用通信システムにより与えられる可能性の一つは、場所ベースのサービスの提供、すなわち１又は複数の基地局（ＢＴＳ）によりサービスされる領域内での携帯電話の所有者の位置の決定に基づいたサービスの提供である。
【０００３】
このことは可能である。というのは、現在のＧＳＭモバイル装置は、それ自身のセルとその隣接セル内の基地局を測定し、それぞれの情報を検出し、記憶し、伝送することができるからである。
【０００４】
この情報は以下のものを含む。
１．サービス中セルに関係する国コード（モバイル・カントリー・コード＝ＭＣＣ）
２．サービス中セルに関係するネットワークコード（モバイル・ネットワーク・コード＝ＭＮＣ）
３．サービス中セルに関係するローカルエリアコード（ローカル・エリア・コード＝ＬＡＣ）
４．サービス中セルの識別（セルＩＤ）
５．サービス中セルの制御チャンネルの信号強度（ＲｘＬｅｖ）
６．当該電話により検出された隣接セルの制御チャンネル信号強度（ＲｘＬｅｖ）
７．隣接セルの基地局に関係したチャンネル番号（ＡＲＦＣＮ＝絶対無線周波数チャンネル番号）と識別コード（ＢＳＩＣ＝基地局識別コード）に一義的に対応した周波数インデックス（ＢＣＣＨ−ＦＲＥＱ＝ブロード・コントロール・チャンネル−周波数）
【０００５】
この情報は、基地局の地理的位置と組み合わされた数値データからなり、一般には携帯電話管理者(operator)により提供されるデータベース内に含まれるが、適当な計算手順にて使用してＧＳＭモバイル装置の位置を概算することができる。
【０００６】
上記の情報は、通常はＳＩＭカード（“加入者識別モジュール”）上にインストールされたＳＩＭツールキット式アプリケーションを介してモバイル装置により探知され、圧縮されてＳＭＳ（ショートメッセージシステム）メッセージによりリモート・サービス・センターに送られる。
【０００７】
まず、受け取られたメッセージは圧縮解除され、「ロケーション・エンジン」と称される処理システムに送られ、適当なアルゴリズムを用いてモバイル装置の地理的位置を計算する。必要なら、この処理システムは、モバイル装置にその位置を知らせるか、場所ベースのサービスのためにそれを利用する。
【発明の開示】
【発明が解決しようとする課題】
【０００８】
モバイル装置とサービス・センターの間でのデータ交換段階中に、ロケーション要求ごとに伝送されるＳＭＳメッセージの数を減らす必要が生じる。これは、単一のアプリケーションのためにネットワーク上に過度のトラフィックを課することができない総ての携帯電話管理者や、費用効果を求めるユーザーにとって、的確なニーズである。
【０００９】
加えて、伝送されるＳＭＳテキストメッセージの数を減らすことは、場所ベースの各サービスの応答時間を相当短縮し、よってサービスの質にかなり寄与することを意味する。
【課題を解決するための手段】
【００１０】
本発明の目的である携帯電話のモバイル装置の場所データの伝送方法は、ＳＭＳメッセージの形式で送られるのに適したＧＳＭモバイル装置の場所データに対して圧縮フォーマットを用いることにより、この欠点を克服し、上述した技術的な問題を解決する。
【００１１】
特に、本発明の目的は、請求項１の特徴部分に記載のような携帯電話のモバイル装置の場所データの伝送方法である。
【発明を実施するための最良の形態】
【００１２】
以下、本発明の別の特徴と利点も、単なる例として添付図面を参照して説明する。
図１は、ＧＳＭ規格によるネットワーク及びサービス中セルのデータフォーマットである。
図２は、モニターされた全セルの信号強度、並びに隣接セルの周波数及び識別コードである。
図３は、隣接セルリンクのチャンネル番号のフォーマットである。
図４は、本発明によるメッセージ中の第１バイトである。
図５は、関連のサービスデータ及び測定数のフォーマットである。
図６は、各測定のデータフォーマットである。
図７は、各隣接セルのデータフォーマットである。
【００１３】
モバイル装置により測定されてそのＳＩＭカードに供給される基地局のデータフォーマットは、ＧＳＭ規格に記載されており、特に次の３つの異なる種類のデータに関係する。
−  現在使用しているネットワーク及びサービス中セルについてのデータであり、上記説明ではＭＣＣ、ＭＮＣ、ＬＡＣ及びセルＩＤとして示されたもの。数値表現が図１に示される。
−  モニターされたセルの信号強度、周波数インデックス及び隣接セルの識別コードについてのデータであり、上記説明ではＲｘＬｅｖ、ＢＣＣＨ−ＦＲＥＱ及びＢＳＩＣとして示されたもの。ＧＳＭ０４．０８仕様に定義された数値表現が図２に示される。
−  上記説明におけるＡＲＦＣＮとして示された隣接セルリンクチャンネル番号のリスト。ＧＳＭ１１．１４仕様に定義された数値表現が図３に示される。
【００１４】
図１に示されるように、ＭＣＣ、ＬＡＣ及びセルＩＤは各々２バイト、すなわち上位バイトと下位バイトにより表され、ＭＮＣは１バイトのみ必要とする。
【００１５】
図２は、モニターされたセル８つまでにつき、１７のオクテット（又はバイト）上に分布された隣接セルに関係する信号強度、周波数、コードなどについてのデータを示す。
【００１６】
特に、これらのフィールドは、ＧＳＭにおいて以下の意味を有する。
−  測定結果ＩＥＩ（７ビット）：後続の情報の識別子（ＩＥＩ＝情報要素識別子）、すなわち本ケースの測定結果；
−  ＢＡ−ＵＳＥＤ（１ビット）：ＢＣＣＨ符号化タイプ；
−  ＤＴＸーＵＳＥＤ（１ビット）：モバイル装置がＤＴＸ（ＤＴＸ＝非連続伝送［機構］）を使用するか否かを示す、すなわち前の測定期間において連続的でないパワーレベル伝送；
−  ＲＸＬＥＶ−ＦＵＬＬ−ＳＥＲＶＩＮＧ−ＣＥＬＬ（６ビット）：全スロット上で測定されたサービス中セルから受け取った信号の強度；
−  ＭＥＡＳ−ＶＡＬＩＤ（１ビット）：専用チャンネル上での測定の有効性を示す；
−  ＲＸＬＥＶ−ＳＵＢ−ＳＥＲＶＩＮＧ−ＣＥＬＬ（６ビット）：スロットの部分集合上で測定されたサービス中セルから受け取った信号の強度；
−  ＲＸＱＵＡＬ−ＦＵＬＬ−ＳＥＲＶＩＮＧ−ＣＥＬＬ（３ビット）：全スロット上で測定されたサービス中セルから受け取った信号の質；
−  ＲＸＱＵＡＬ−ＳＵＢ−ＳＥＲＶＩＮＧ−ＣＥＬＬ（３ビット）：スロットの部分集合上で測定されたサービス中セルから受け取った信号の質；
−  ＮＯ−ＮＣＥＬＬ−Ｍ（３ビット）：隣接セルの測定数；
−  ＲＸＬＥＶ−ＮＣＥＬＬ  ｉ（６ビット）：ｉ番目の隣接セルから受け取った信号の強度（ｉ＝１．．．６）；
−  ＢＣＣＨ−ＦＲＥＱ−ＮＣＥＬＬ  ｉ（５ビット）：ｉ番目の隣接セルのＢＣＣＨチャンネルに関係する周波数インデックス；
−  ＢＳＩＣ−ＮＣＥＬＬ  ｉ（６ビット）：ｉ番目の隣接セルの基地局の識別コード
【００１７】
図３は、ｍ番目の無線周波数チャンネルの絶対番号（ＡＲＦＣＮ＃ｍ）として示されたリンク周波数フォーマットを示す。各々は、１０個の連続したビットにより形成され、「上位部」と「下位部」に分割され、前述の周波数インデックスＢＣＣＨ−ＦＲＥＱ−ＮＣＥＬＬ  ｉにより識別される。
【００１８】
これらの情報すべてを標準ＧＳＭフォーマットにて送るのは、要求されるＳＭＳメッセージ数の点からむしろコスト高となる。というのは、モバイル装置は、十分正確かつ信頼性の高い場所を得るために一定数の連続した測定を行って、検出された信号周波数ピーク（正及び負）をフィルタリングしなけらばならないからである。
【００１９】
本発明によると、ＧＳＭ装置により検出された場所データの伝送は、極めて少数のＳＭＳメッセージしか必要でない圧縮フォーマットを用いて実行される。当然、場所の正確さと信頼性は実施された測定の数に依存するので、ＳＭＳメッセージの数は影響を受ける。
【００２０】
上述のフォーマットの生成はＳＩＭカードアプリケーションにより処理され、また、知っての通り、ＳＩＭカードの性能と計算能力はパーソナルコンピュータと比較すると劣るので、該フォーマットの生成はできるだけ単純でなければならない。さらに、複雑なアプリケーションがメモリ空間の大部分を占めることになるので、商業上の観点から興味あるオプションの場所ベースのサービスを損なってしまう。
【００２１】
ＳＩＭカード上にインストールされたアプリケーションは、圧縮フォーマットの場所データを含んだＳＭＳメッセージを発生し、これは単一の各メッセージについての特定(specific)データ、メッセージセットについての特定データ、測定についての特定データ、及びモバイル装置によりモニターされたサービス中セルと隣接セルについての特定データからなる。いくつかのデータの大きさは、現在の瞬間に行われた測定の結果と以前に得られた結果とに依存する。
【００２２】
このフォーマットの記述については図４、５、６及び７を参照されたい。これらの図は、各行がＳＭＳメッセージ中の１バイトに対応する表を示す。
【００２３】
上述の情報が１より多いＳＭＳメッセージを占め得ることを考慮すると、各メッセージの最初のバイトは、図４に示されるデータ、すなわち現在のＳＭＳメッセージ番号と場所データ伝送に専用のメッセージの総数とを含まなければならない。
【００２４】
メッセージ本体中の後続のバイトは、図５に記載される情報を含む。特に、いくつかのバイトは、「可能性あるサービス固有のデータ」、すなわち特定サービス専用のデータに対して専用される。というのは、モバイル装置のロケーションプロセスが、ユーザーのＳＩＭカード上にインストールされた多数の場所ベースのサービスにリンクされ得るからである。これらの場合には、他の多くのデータがサービス・センターに伝達される必要があるかもしれない。例えば、この伝送では、電話メニューにおいてユーザーが行う選択を伴い得る（ＳＡＴアプリケーション）。このようなデータは、伝送されるＳＭＳメッセージ中に含まれると共に、純粋な場所情報と一体化させなければならない。
【００２５】
追加のバイトが、測定数を示すのに用いられる。
【００２６】
図６は、各測定にて伝送されるデータ、特に以下のものをリストアップする。
−  ＲＸＬＥＶ−ＦＵＬＬ−ＳＥＲＶＩＮＧ−ＣＥＬＬ（６ビット）［すなわちサービス中セルの信号強度］；
−  「変更タグ(Changed Tag) 」（２ビット）［その意味は後に説明する］；
−  ＭＣＣ（２バイト、すなわち上位バイトと下位バイト）［「変更タグ」が２より大きい場合に存在する］；
−  ＭＮＣ（１バイト）［「変更タグ」が２より大きい場合に存在する］；
−  ＬＡＣ（２バイト、すなわち上位バイトと下位バイト）［「変更タグ」が１より大きい場合に存在する］；
−  サービス中セルＩＤ（２バイト、すなわち上位バイトと下位バイト）［「変更タグ」が０より大きい場合に存在する］；
−  モニターされた隣接セルの数（１バイト）。
【００２７】
「変更タグ」は、モバイル装置によりいくつかの連続した測定が要求される場合に有効である。この条件は、確実な場所を得るのに必要である。「変更タグ」は、サービス中セルに関係した４つのセルデータ（セルＩＤ、ＬＡＣ、ＭＣＣ又はＭＮＣ）のどれが前の測定に対して変わったかを示す。新しい測定が実施されると、本手順では、ＳＩＭカードにより記憶された前のデータに対して何が変わったかを調べて、その結果として変更タグの値を設定する。最後に、変わったデータのみが、ＳＭＳメッセージ本体に加えられる。
【００２８】
図７にリストアップされたデータは、各隣接セルに対して測定され、伝送されるものであり、具体的には以下のものである。
−  隣接セル信号の相対強度（５ビット）［後に説明するように前の測定に基づいて計算される］；
−  「ＡＲＦＣＮ−ＢＳＩＣキャッシュインデックス」（３ビット）［その意味は後に説明する］；
−  ＡＲＦＣＮ（１０ビット）［２つの部分に分割されており、その一方は１バイトからなり、もう一方は２ビットからなる。「ＡＲＦＣＮ−ＢＳＩＣキャッシュインデックス」がバイナリー値「１１１」を有する場合に存在する］；
−  ＢＳＩＣ（６ビット）［これも「ＡＲＦＣＮ−ＢＳＩＣキャッシュインデックス」がバイナリー値「１１１」を有する場合に存在する］；
−  隣接セル信号の絶対強度（８ビット）［隣接セルの相対強度がバイナリ値「１１１１１」を有する場合に存在する］
【００２９】
ＳＩＭカード上に存在するアプリケーションは６バイトのメモリテーブルを用い、隣接セル信号、すなわちモニターされた各隣接セル信号の相対強度を計算する。ＳＭＳメッセージの符号化中に、このテーブルの各要素がバイナリ値「１１１１０」に初期化される。続いて、隣接セル信号が検出される度に、以下の操作が実施される。
−  現在の隣接セルの強度が、同じ位置での隣接セルに関係する前の測定の強度に対してバイナリ範囲±「０１１１１」内に含まれるとき、強度の差のみが伝送され（よって、ＳＭＳメッセージ中の５ビットのみが必要とされる）、現在の強度の絶対値によってテーブルが更新される；
−  そうでない場合には、バイナリ値「１１１１１」が相対強度に割り当てられ、現在の絶対強度値がその次のバイトに送られ、同じ絶対値によってテーブルが更新される。
【００３０】
同様の逆手順が、サービス・センターにて実施されて復号化を行う。
【００３１】
「ＡＲＦＣＮ−ＢＳＩＣキャッシュインデックス」は、特定のメモリテーブル（キャッシュ）中のＡＲＦＣＮ−ＢＳＩＣ対のインデックスである。この対は、隣接セルを一義的に識別するセルＩＤを決めるのに用いられる。
【００３２】
モニターされた隣接セルのセットが、正しい場所を得るのに必要な複数の連続した測定中に大きく変わることは大いに起こりうる。よって、モニターされた隣接セルに関係するＡＲＦＣＮ−ＢＳＩＣ対を記憶するのに必要なスペースを削減するために、特定のテーブルが用いられる。このテーブルは、７つの値の対からなる容量を有し、新しいＡＲＦＣＮ−ＢＳＩＣ対の値が見いだされると漸次入れられる。
【００３３】
テーブル中に存在する値に遭遇すると、遭遇した値を含んだ列番号、又はインデックスが該値の代わりに用いられる。ＡＲＦＣＮ−ＢＳＩＣ対は１６ビットを占める一方でこのインデックスは３ビットしか占めないので、相当な量のスペースが節約される。
【００３４】
テーブル中に存在しないＡＲＦＣＮ−ＢＳＩＣ値に遭遇しかつ該テーブルがいっぱいである場合には、ＦＩＦＯモードに従って新しい値が最も古いものの上に書き込まれる。この機構により、管理が非常に簡単になり効率が良くなることが保証される。テーブル中に存在しないＡＲＦＣＮ−ＢＳＩＣ対の値に遭遇すると、「ＡＲＦＣＮ−ＢＳＩＣキャッシュインデックス」がバイナリ「１１１」に設定され、フォーマット仕様に示されているように実際の値が後続バイトに加えられる。このようにして新しい値がテーブルに加えられる。
【００３５】
同様の逆手順がサービス・センターにて実施されて復号化が行われる。
【００３６】
当然、添付の特許請求の範囲に規定されているような本発明の範囲から逸脱することなく、ここに想定されている本発明の構成及び実施態様について、多くの変更をなし得る。
【図面の簡単な説明】
【００３７】
【図１】ＧＳＭ規格によるネットワーク及びサービス中セルのデータフォーマットである。
【図２】モニターされた全セルの信号強度、並びに隣接セルの周波数及び識別コードである。
【図３】隣接セルリンクのチャンネル番号のフォーマットである。
【図４】本発明によるメッセージ中の第１バイトである。
【図５】関連のサービスデータ及び測定数のフォーマットである。
【図６】各測定のデータフォーマットである。
【図７】各隣接セルのデータフォーマットである。
【図１】
2005505952.tif 000003
【図２】
2005505952.tif 000004
【図３】
2005505952.tif 000005
【図４】
2005505952.tif 000006
【図５】
2005505952.tif 000007
【図６】
2005505952.tif 000008
【図７】
2005505952.tif 000009
【国際公開パンフレット】
2005505952.tif 000010
2005505952.tif 000011
2005505952.tif 000012
2005505952.tif 000013
2005505952.tif 000014
2005505952.tif 000015
2005505952.tif 000016
2005505952.tif 000017
2005505952.tif 000018
2005505952.tif 000019
2005505952.tif 000020
2005505952.tif 000021
2005505952.tif 000022
2005505952.tif 000023
2005505952.tif 000024
2005505952.tif 000025
2005505952.tif 000026
2005505952.tif 000027
2005505952.tif 000028
【国際調査報告】
2005505952.tif 000029
2005505952.tif 000030